(57)【要約】【課題】指示検出手段などの部品点数の増加を招くことなく、誤操作が防止され、複数の熱源への確実な入力操作が行われる誘導加熱調理器を提供する。【解決手段】入力制限部４２は、タッチセンサＩＣ３１に異常が生じたとき、スイッチ群５３に含まれるスイッチのうち正常なタッチセンサＩＣ３２に接続するスイッチ５３４、５３５、５３６から、ラジエントヒータ１５およびグリルヒータ１６への入力を制限する。これにより、タッチセンサＩＣ３１に異常が生じたとき、スイッチ群５３に含まれるスイッチのうち正常なタッチセンサＩＣ３２に接続する各スイッチからも、ラジエントヒータ１５およびグリルヒータ１６への入力は制限される。したがって、タッチセンサＩＣ３１、３２の数をスイッチ群５１〜５３の数にあわせて設けることなく、スイッチ群５３の各スイッチからの入力時の誤操作が防止され、各熱源へ確実な入力操作が行われる。【選択図】図２
2011076859.tif 000002
【特許請求の範囲】
【請求項１】
複数の熱源と、
複数の前記熱源に指示を入力するための複数のスイッチと、
二つ以上の前記スイッチが複数の前記熱源に対応してグループ化されている複数のスイッチ群と、
少なくとも前記スイッチ群のうちいずれか一つの特定スイッチ群に含まれる前記スイッチのうちその一部の一部側スイッチが接続し、接続する前記スイッチに入力された指示を検出し前記熱源へ伝達する一部側指示検出手段と、
前記特定スイッチ群に含まれる前記スイッチのうち前記一部側スイッチを除く残部側スイッチが接続し、接続する前記スイッチに入力された指示を検出し前記熱源へ伝達する残部側指示検出手段と、
前記一部側指示検出手段に異常が生じたとき、前記残部側指示検出手段において、前記残部側スイッチから前記特定スイッチ群に対応する前記熱源への入力を制限する入力制限手段と、
を備えることを特徴とする誘導加熱調理器。
【請求項２】
前記熱源を予め定められた調理手順にしたがって制御する自動調理を実施する自動調理手段と、
前記スイッチを構成し、前記熱源の電源のオンまたはオフを入力するための電源スイッチと、をさらに備え、
前記自動調理手段は、前記熱源が自動調理で制御中であって、前記残部側指示検出手段が前記特定スイッチ群に含まれる前記電源スイッチへの入力を検出可能であるとき、前記特定スイッチ群に対応する前記熱源の自動調理を継続することを特徴とする請求項１記載の誘導加熱調理器。
【請求項３】
前記熱源を前記スイッチからの入力に応じて制御する手動調理を実施する手動調理手段と、
前記スイッチを構成し、予め定められた設定時間が経過すると前記熱源の電源をオフするタイマースイッチをさらに備え、
前記手動調理手段は、前記熱源が手動調理で制御中であって、前記タイマースイッチからの入力による設定時間内の調理中であるとき、前記設定時間が経過するまで、前記特定スイッチ群に対応する前記熱源の手動調理を継続することを特徴とする請求項１または２記載の誘導加熱調理器。
【請求項４】
前記スイッチを構成し、複数の前記スイッチへの入力を制限するスイッチ入力制限手段と、
前記一部側指示検出手段または前記残部側指示検出手段のうち前記スイッチ入力制限手段に接続する側の特定指示検出手段に異常が生じたとき、前記入力制限手段による前記スイッチへの入力の制限を解除する制限解除手段と、
をさらに備えることを特徴とする請求項１、２または３記載の誘導加熱調理器。
【請求項５】
前記一部側指示検出手段に異常が生じたとき、前記一部側指示検出手段に接続する特定熱源の操作が制限されていることを表示する表示手段をさらに備えることを特徴とする請求項１から４のいずれか一項記載の誘導加熱調理器。
【請求項６】
前記一部側指示検出手段に異常が生じたとき、前記特定スイッチ群に含まれる前記残部側スイッチに入力があると、前記一部側スイッチへの入力が制限されていることを報知する報知手段をさらに備えることを特徴とする請求項１から５のいずれか一項記載の誘導加熱調理器。
【請求項７】
前記入力制限手段は、複数の前記スイッチ群のうち前記特定スイッチ群を除く非特定スイッチ群に含まれる前記スイッチに予め設定された特定操作が入力されると、前記残部側スイッチへの入力の制限を解除することを特徴とする請求項１から６のいずれか一項記載の誘導加熱調理器。
【請求項８】
前記入力制限手段は、前記一部側指示検出手段に異常が生じているとき、前記特定スイッチ群に対応する前記熱源の電源のオンまたはオフの入力が可能であることを条件として、前記残部側スイッチへの入力の制限を強制的に解除することを特徴とする請求項１から７のいずれか一項記載の誘導加熱調理器。
【請求項９】
前記一部側指示検出手段に接続する前記特定スイッチ群を除く非特定スイッチ群に設けられ、前記特定スイッチ群に対応する前記熱源への指示を入力可能な予備入力手段をさらに備えることを特徴とする請求項１から８のいずれか一項記載の誘導加熱調理器。
【発明の詳細な説明】
【技術分野】
【０００１】
本発明は、誘導加熱調理器に関し、特に二つ以上の熱源を備えている誘導加熱調理器に関する。
【背景技術】
【０００２】
比較的大型の誘導加熱調理器は、複数の熱源を備えている。複数の熱源は、誘導加熱調理器の手前側に設けられている複数のスイッチから、電源の断続や火力の調整などの操作が入力される。これら複数のスイッチは、複数の熱源に対応して複数のスイッチ群にグループ化されている。このような誘導加熱調理器では、何らかの異常により、複数の熱源のうち一つの特定熱源について、特定熱源に対応するスイッチ群からの入力が無効となった場合、他の熱源に対応するスイッチ群から特定熱源の操作の入力を実施可能とすることが考えられている（特許文献１参照）。
【０００３】
一方、スイッチへの入力は、指示検出手段によって検出される。従来、複数の熱源を備える誘導加熱調理器の場合、高価な部品の点数低減を図るため、指示検出手段の数は熱源に対応するスイッチ群の数よりも少なくなっている。例えば、三つの熱源がある場合、スイッチ群はこの熱源に対応する三つが設けられるのに対し、指示検出手段はスイッチ群の数よりも少ない二つが設けられる。このように指示検出手段の数がスイッチ群の数よりも少ない場合、指示検出手段の一つに異常が生じると、いずれか一つの熱源に対応するスイッチ群では一部のスイッチが操作可能であっても、残るスイッチの操作が不可能になることがある。このように、いずれかのスイッチ群において一部のスイッチが操作可能であるにも関わらず、特許文献１のように他の熱源に対応するスイッチ群から特定熱源の操作の入力を可能にすると、特定熱源に対し複数のスイッチ群からの入力を許容することとなり、誤作動や誤操作を招く原因となる。
【先行技術文献】
【特許文献】
【０００４】
【特許文献１】特開２００６−１１８８１９号公報
【発明の概要】
【発明が解決しようとする課題】
【０００５】
そこで、本発明の目的は、指示検出手段などの部品点数の増加を招くことなく、誤操作が防止され、複数の熱源への確実な入力操作が行われる誘導加熱調理器を提供することにある。
【課題を解決するための手段】
【０００６】
上記の課題を解決するために、本発明の誘導加熱調理器は、複数の熱源と、複数の前記熱源に指示を入力するための複数のスイッチと、二つ以上の前記スイッチが複数の前記熱源に対応してグループ化されている複数のスイッチ群と、少なくとも前記スイッチ群のうちいずれか一つの特定スイッチ群に含まれる前記スイッチのうちその一部の一部側スイッチが接続し、接続する前記スイッチに入力された指示を検出し前記熱源へ伝達する一部側指示検出手段と、前記特定スイッチ群に含まれる前記スイッチのうち前記一部側スイッチを除く残部側スイッチが接続し、接続する前記スイッチに入力された指示を検出し前記熱源へ伝達する残部側指示検出手段と、前記一部側指示検出手段に異常が生じたとき、前記残部側指示検出手段において、前記残部側スイッチから前記特定スイッチ群に対応する前記熱源への入力を制限する入力制限手段と、を備えることを特徴とする。
【発明の効果】
【０００７】
上記の構成の誘導加熱調理器では、スイッチ群のうちの一つである特定スイッチ群は、これに含まれるスイッチの一部である一部側スイッチが一部側指示検出手段に接続し、その残部である残部側スイッチが残部側指示検出手段に接続している。入力制限手段は、この指示検出手段のうち一部側指示検出手段に異常が生じたとき、残部側指示検出手段に残部側スイッチから特定スイッチ群に対応する熱源への入力を制限する。これにより、一部側指示検出手段に異常が生じたとき、特定スイッチ群の残部側スイッチから特定スイッチ群に対応する熱源への入力も制限される。したがって、指示検出手段の数をスイッチ群の数にあわせて増加させる必要がないので部品点数の増加を招かず、入力時の誤操作を防止することができ、複数の熱源への確実な入力操作を行うことができる。
【図面の簡単な説明】
【０００８】
【図１】本発明の一実施形態による誘導加熱調理器の外観を示す模式図
【図２】本発明の一実施形態による誘導加熱調理器の電気的な構成を示す模式図
【図３】本発明の一実施形態による誘導加熱調理器の作動の流れを示す概略図
【発明を実施するための形態】
【０００９】
以下、誘導加熱調理器の一実施形態を図面に基づいて説明する。なお、以下の説明では、図１に示す上下、左右および前後の各方向を用いて説明する。
図１に示すように、一実施形態による誘導加熱調理器１０は、筐体１１を備えている。筐体１１は、箱状に形成され、図示しない骨格部材と、この骨格部材を覆う化粧カバーとを有している。また、筐体１１は、上端部を覆うトッププレート１２を有している。誘導加熱調理器１０は、複数の熱源を備えている。本実施形態の場合、熱源は、ＩＨヒータ１３、ＩＨヒータ１４、ラジエントヒータ１５およびグリルヒータ１６から構成されている。ＩＨヒータ１３およびＩＨヒータ１４は、図示しない誘導加熱コイルを有し、電磁誘導により例えば鉄製の調理器具などを加熱する。ラジエントヒータ１５は、赤外線を照射することにより調理器具を加熱する。グリルヒータ１６は、筐体１１の内側において前方から後方へ延びて設けられている。トッププレート１２は、熱源のうちＩＨヒータ１３、ＩＨヒータ１４およびラジエントヒータ１５の上方を覆っている。
【００１０】
誘導加熱調理器１０は、制御回路基板２１、表示操作基板２２、複数のスイッチ２３、表示パネル２４および通信線部材２５を備えている。制御回路基板２１は、筐体１１の内部において下方側に設けられている。表示操作基板２２は、スイッチ２３および表示パネル２４に接続されており、トッププレート１２下方の筐体１１の内部において上方側に設けられている。複数のスイッチ２３は、トッププレート１２の上面に配置されている。本実施形態の場合、スイッチ２３は、静電容量式のタッチセンサである。トッププレート１２は、上面に複数のスイッチ２３とともに表示パネル２４を有している。表示パネル２４は、各熱源に対応して設けられており、各熱源の運転状態、火力あるいは運転時間などを表示する。すなわち、表示パネル２４は、ＩＨヒータ１３に対応する表示パネル２４１、ＩＨヒータ１４に対応する表示パネル２４２、およびラジエントヒータ１５およびグリルヒータ１６に対応する表示パネル２４３を有している。通信線部材２５は、筐体１１の内部に設けられている制御回路基板２１と表示操作基板２２とを電気的に接続している。誘導加熱調理器１０は、報知手段としてのスピーカ２６を備えている。スピーカ２６は、例えばスイッチ２３への入力などに応じて音声を発する。
【００１１】
誘導加熱調理器１０は、指示検出手段としてのタッチセンサＩＣ３１およびタッチセンサＩＣ３２を備えている。タッチセンサＩＣ３１およびタッチセンサＩＣ３２は、スイッチ２３に接続され、各スイッチ２３への入力を検出する。また、タッチセンサＩＣ３１およびタッチセンサＩＣ３２は、制御回路基板２１に接続しており、各スイッチ２３において検出した入力を各熱源へ伝達するために、検出した入力を制御回路基板２１へ出力する。
【００１２】
次に、上記の誘導加熱調理器１０の電気的な構成について説明する。
誘導加熱調理器１０は、図２に示すように制御回路部４１を備えている。制御回路部４１は、ＩＨヒータ１３、ＩＨヒータ１４、ラジエントヒータ１５およびグリルヒータ１６などの各熱源、タッチセンサＩＣ３１およびタッチセンサＩＣ３２、表示パネル２４、ならびにスピーカ２６などに接続している。制御回路部４１は、図示しないＣＰＵ、ＲＯＭおよびＲＡＭを有するマイクロコンピュータで構成され、制御回路基板２１および表示操作基板２２に搭載されている。制御回路部４１のＣＰＵは、ＲＯＭに記憶されているコンピュータプログラムにしたがって誘導加熱調理器１０の各部を制御する。誘導加熱調理器１０の制御回路部４１は、入力制限部４２、自動調理部４３、手動調理部４４および制限解除部４５を構成している。これら入力制限部４２、自動調理部４３、手動調理部４４および制限解除部４５は、上述のようにＣＰＵで実行されるコンピュータプログラムによってソフトウェア的に実現されている。なお、これら入力制限部４２、自動調理部４３、手動調理部４４および制限解除部４５は、ハードウェア的に実現してもよい。
【００１３】
制御回路部４１は、ＩＨヒータ１３およびＩＨヒータ１４を制御するインバータ回路４６に接続している。ＩＨヒータ１３およびＩＨヒータ１４は、制御回路部４１からインバータ回路４６へ出力される指示にしたがって制御される。また、制御回路部４１は、ラジエントヒータ１５およびグリルヒータ１６を制御するリレー回路４７に接続している。これにより、ラジエントヒータ１５およびグリルヒータ１６は、制御回路部４１からリレー回路４７へ出力される指示にしたがって制御される。
【００１４】
複数のスイッチ２３は、各熱源に対応するスイッチ群５１、５２、５３を構成している。具体的には、スイッチ群５１はＩＨヒータ１３に対応し、スイッチ群５２はＩＨヒータ１４に対応し、スイッチ群５３はラジエントヒータ１５およびグリルヒータ１６に対応している。このＩＨヒータ１３に対応するスイッチ群５１は、スイッチ２３として切／スタートスイッチ５１１、火力減スイッチ５１２、火力増スイッチ５１３、揚物スイッチ５１４およびタイマースイッチ５１５から構成されている。また、スイッチ群５１は、チャイルドロックスイッチ５１６およびラジエントヒータロックスイッチ５１７を含んでいる。ＩＨヒータ１４に対応するスイッチ群５２は、切／スタートスイッチ５２１、火力減スイッチ５２２、火力増スイッチ５２３、揚物スイッチ５２４およびタイマースイッチ５２５から構成されている。また、スイッチ群５２は、換気ファン運転スイッチ５２６および照明スイッチ５２７を含んでいる。さらに、ラジエントヒータ１５およびグリルヒータ１６に対応するスイッチ群５３は、切／スタートスイッチ５３１、自動調理選択スイッチ５３２、火力減スイッチ５３３、火力増スイッチ５３４、タイマースイッチ５３５およびラジエント選択スイッチ５３６から構成されている。
【００１５】
切／スタートスイッチ５１１、切／スタートスイッチ５２１および切／スタートスイッチ５３１は、各熱源における電源の切断または調理の開始が入力される。すなわち、これら切／スタートスイッチ５１１、切／スタートスイッチ５２１および切／スタートスイッチ５３１は、特許請求の範囲の電源スイッチに相当する。火力減スイッチ５１２、火力減スイッチ５２２、火力減スイッチ５３３、火力増スイッチ５１３、火力増スイッチ５２３および火力増スイッチ５３４は、各熱源の火力の減または増が入力される。揚物スイッチ５１４および揚物スイッチ５２４は、揚物を調理する際に入力される。タイマースイッチ５１５、タイマースイッチ５２５およびタイマースイッチ５３５は、各熱源でタイマー調理を実施する際に入力される。チャイルドロックスイッチ５１６は、スイッチ入力制限手段を構成し、各スイッチ群５１〜５３を構成する複数のスイッチ２３への入力の制限が入力される。すなわち、チャイルドロックスイッチ５１６に入力することにより、制御回路部４１は各スイッチ２３からの不意な操作による入力を制限する。ラジエントヒータロックスイッチ５１７は、ラジエントヒータ１５の使用停止が入力される。換気ファン運転スイッチ５２６は、図示しない換気ファンのオンまたはオフが入力される。照明スイッチ５２７は、図示しない照明のオンまたはオフが入力される。ラジエント選択スイッチ５３６は、ラジエントヒータ１５の利用が入力される。自動調理選択スイッチ５３２は、ラジエントヒータ１５またはグリルヒータ１６を利用した自動調理の実行の選択および自動調理メニューの選択が入力される。
【００１６】
スイッチ群５１を構成する切／スタートスイッチ５１１、火力減スイッチ５１２、火力増スイッチ５１３、揚物スイッチ５１４、タイマースイッチ５１５、チャイルドロックスイッチ５１６およびラジエントヒータロックスイッチ５１７は、いずれも電極５５を経由してタッチセンサＩＣ３１に接続している。すなわち、スイッチ群５１を構成する切／スタートスイッチ５１１、火力減スイッチ５１２、火力増スイッチ５１３、揚物スイッチ５１４、タイマースイッチ５１５、チャイルドロックスイッチ５１６およびラジエントヒータロックスイッチ５１７から入力があると、そのいずれかのスイッチに対応する電極５５はオンされる。タッチセンサＩＣ３１は、この電極５５のオンから、スイッチ群５１の各スイッチへの入力を検出する。
【００１７】
スイッチ群５２を構成する切／スタートスイッチ５２１、火力減スイッチ５２２、火力増スイッチ５２３、揚物スイッチ５２４、タイマースイッチ５２５、換気ファン運転スイッチ５２６および照明スイッチ５２７は、いずれも電極５５を経由してタッチセンサＩＣ３２に接続している。すなわち、スイッチ群５２を構成する切／スタートスイッチ５２１、火力減スイッチ５２２、火力増スイッチ５２３、揚物スイッチ５２４、タイマースイッチ５２５、換気ファン運転スイッチ５２６および照明スイッチ５２７から入力があると、そのいずれかのスイッチの対応する電極５５はオンされる。タッチセンサＩＣ３２は、この電極５５のオンから、スイッチ群５２の各スイッチへの入力を検出する。
【００１８】
これに対し、スイッチ群５３を構成する切／スタートスイッチ５３１、自動調理選択スイッチ５３２および火力減スイッチ５３３はタッチセンサＩＣ３１に接続するとともに、スイッチ群５３を構成する火力増スイッチ５３４、タイマースイッチ５３５およびラジエント選択スイッチ５３６はタッチセンサＩＣ３２に接続している。すなわち、スイッチ群５３を構成する複数のスイッチ２３は、一部がタッチセンサＩＣ３１に接続し、これを除く残部がタッチセンサＩＣ３２に接続している。このように、スイッチ群５３は、特許請求の範囲おける特定スイッチ群に相当する。スイッチ群５３を構成する切／スタートスイッチ５３１、自動調理選択スイッチ５３２および火力減スイッチ５３３から入力があると、そのいずれかのスイッチに対応する電極５５はオンされる。タッチセンサＩＣ３１は、この電極５５のオンから、スイッチ群５３の一部側の各スイッチへの入力を検出する。同様に、火力増スイッチ５３４、タイマースイッチ５３５およびラジエント選択スイッチ５３６から入力があると、そのいずれかのスイッチの対応する電極５５はオンされる。タッチセンサＩＣ３２は、この電極５５のオンから、スイッチ群５３の残部側の各スイッチへの入力を検出する。
【００１９】
入力制限部４２は、上記のようにスイッチ群５１〜５３が接続する二つのタッチセンサＩＣ３１またはタッチセンサＩＣ３２の一方に異常が生じたとき、正常なタッチセンサＩＣにおいて、このタッチセンサＩＣに接続するスイッチ２３からこのスイッチ群に対応する熱源への入力を制限する。例えばタッチセンサＩＣ３１に異常が生じたとき、スイッチ群５１を構成する各スイッチからこのスイッチ群５１に対応するＩＨヒータ１３への指示の入力はできない。これと同時に、タッチセンサＩＣ３１に異常が生じているため、スイッチ群５３を構成するスイッチのうちタッチセンサＩＣ３１に接続する切／スタートスイッチ５３１、自動調理選択スイッチ５３２および火力減スイッチ５３３からラジエントヒータ１５およびグリルヒータ１６への指示の入力はできない。一方、タッチセンサＩＣ３２は正常であるため、スイッチ群５３を構成するスイッチのうちタッチセンサＩＣ３２に接続する火力増スイッチ５３４、タイマースイッチ５３５およびラジエント選択スイッチ５３６からラジエントヒータ１５およびグリルヒータ１６への指示の入力は可能である。このように、スイッチ群５３に接続する二つのタッチセンサＩＣ３１およびタッチセンサＩＣ３２のうち一方のタッチセンサＩＣ３１に異常が生じたとき、入力制限部４２は正常なタッチセンサＩＣ３２からラジエントヒータ１５およびグリルヒータ１６への入力も制限する。この例の場合、スイッチ群５３に含まれる切／スタートスイッチ５３１、自動調理選択スイッチ５３２および火力減スイッチ５３３は、特許請求の範囲の一部側スイッチに相当する。また、切／スタートスイッチ５３１、自動調理選択スイッチ５３２および火力減スイッチ５３３に接続するタッチセンサＩＣ３１は、特許請求の範囲の一部側指示検出手段に相当する。一方、スイッチ群５３に含まれる火力増スイッチ５３４、タイマースイッチ５３５およびラジエント選択スイッチ５３６は、特許請求の範囲の残部側スイッチに相当する。また、火力増スイッチ５３４、タイマースイッチ５３５およびラジエント選択スイッチ５３６に接続するタッチセンサＩＣ３２は、特許請求の範囲の残部側指示検出手段に相当する。なお、上記は一例であり、当然、一部側と他部側とが入れ替わってもよい。
【００２０】
上記の例のようにタッチセンサＩＣ３１に異常が生じているとき、表示パネル２４１、２４３は、例えばエラー表示など、タッチセンサＩＣ３１に接続するラジエントヒータ１５およびグリルヒータ１６の操作が制限されていることを表示する。また、スピーカ２６は、スイッチ群５２に含まれるスイッチのうち、タッチセンサＩＣ３２に接続するスイッチ（火力増スイッチ５３４、タイマースイッチ５３５、ラジエント選択スイッチ５３６）に入力があると、スイッチ群５２のうちタッチセンサＩＣ３１に接続するスイッチ（切／スタートスイッチ５３１、自動調理選択スイッチ５３２、火力減スイッチ５３３）への入力が制限されていること表わすためにブザーや音声を鳴動させる。
【００２１】
自動調理部４３は、熱源であるＩＨヒータ１３、ＩＨヒータ１４、ラジエントヒータ１５およびグリルヒータ１６を利用して予め定められた調理手順にしたがって制御する。また、自動調理部４３は、ラジエントヒータ１５またはグリルヒータ１６を自動調理で制御中であって、タッチセンサＩＣ３１がスイッチ群５３に含まれる切／スタートスイッチ５３１への入力が検出可能であるとき、スイッチ群５３に対応するラジエントヒータ１５またはグリルヒータ１６による自動調理を継続する。例えばタッチセンサＩＣ３２に異常が生じた場合であっても、タッチセンサＩＣ３１は切／スタートスイッチ５３１への入力を検出可能である。そのため、ラジエントヒータ１５またはグリルヒータ１６は、切／スタートスイッチ５３１への入力によって、任意の時期に通電を停止可能である。そのため、タッチセンサＩＣ３２に異常が生じている際であっても、タッチセンサＩＣ３１が正常であれば、自動調理を継続しても安全性は確保される。
【００２２】
手動調理部４４は、熱源であるＩＨヒータ１３、ＩＨヒータ１４、ラジエントヒータ１５およびグリルヒータ１６を、各種のスイッチ２３からの入力に応じて手動で制御する。制御回路部４１は、タイマースイッチ５１５、タイマースイッチ５２５またはタイマースイッチ５３５から入力された設定時間が経過すると、各熱源への通電を停止する。手動調理部４４は、ラジエントヒータ１５またはグリルヒータ１６が手動調理で制御中であって、タッチセンサＩＣ３２がスイッチ群５３に含まれるタイマースイッチ５３５への入力を検出可能であるとき、タイマースイッチ５３５から入力された設定時間が経過するまで、スイッチ群５３に対応するラジエントヒータ１５およびグリルヒータ１６の手動調理を継続する。例えばタッチセンサＩＣ３１に異常が生じた場合であっても、タッチセンサＩＣ３２はタイマースイッチ５３５への入力を検出可能である。そのため、タイマースイッチ５３５で設定された設定時間が経過すると、ラジエントヒータ１５およびグリルヒータ１６への通電は停止される。その結果、タッチセンサＩＣ３１に異常が生じている際にタイマーによる手動調理を継続しても安全性は確保される。
【００２３】
制限解除部４５は、チャイルドロックスイッチ５１６が接続するタッチセンサＩＣ３１に異常が生じたとき、チャイルドロックスイッチ５１６による各スイッチ２３への入力の制限を解除する。チャイルドロックスイッチ５１６は、上記のように操作が入力されることにより他の各スイッチ２３からの入力を制限する。一方、チャイルドロックスイッチ５１６による入力の制限が解除されない限り、他のスイッチ２３からの入力はできない。そのため、チャイルドロックスイッチ５１６からの入力によって入力が規制されているときに、タッチセンサＩＣ３１に異常が生じると、チャイルドロックスイッチ５１６による入力の制限が解除できず、いずれのスイッチ２３からも入力はできなくなる。そこで、制限解除部４５は、チャイルドロックが機能しているとき、タッチセンサＩＣ３１に異常が生じると、チャイルドロックを解除する。これにより、正常なタッチセンサＩＣ３２に接続している各スイッチからの入力は可能となる。
【００２４】
次に、上記の構成による誘導加熱調理器１０の作用について図３に基づいて説明する。
誘導加熱調理器１０の主電源がオンになると、制御回路部４１は、タッチセンサＩＣ３１またはタッチセンサＩＣ３２が正常であるか否かを監視する（Ｓ１０１）。制御回路部４１は、タッチセンサＩＣ３１またはタッチセンサＩＣ３２に異常が生じたと判断すると（Ｓ１０１：Ｎｏ）、その異常がタッチセンサＩＣ３１の異常であるか否かを判断する（Ｓ１０２）。制御回路部４１は、タッチセンサＩＣ３１の異常であると判断すると（Ｓ１０２：Ｙｅｓ）、チャイルドロック中であるか否かを判断する（Ｓ１０３）。既にチャイルドロックスイッチ５１６が押され、チャイルドロックが機能していると判断されると（Ｓ１０３：Ｙｅｓ）、制限解除部４５はチャイルドロックを解除する（Ｓ１０４）。上述のようにチャイルドロックが機能しているとき、制御回路部４１はタッチセンサＩＣ３１またはタッチセンサＩＣ３２に接続するすべてのスイッチ２３からの入力を受け付けない。そのため、チャイルドロックが機能しているときタッチセンサＩＣ３１に異常が生じると、例えばＩＨヒータ１３、１４の電源の操作など全ての操作の入力が困難になる。そこで、制限解除部４５は、チャイルドロックが機能しているときに、タッチセンサＩＣ３１に異常が生じると、機能しているチャイルドロックを解除する。
【００２５】
制御回路部４１は、Ｓ１０４でチャイルドロックを解除すると、またはＳ１０３でチャイルドロック中でないと判断すると（Ｓ１０３：Ｎｏ）、タッチセンサＩＣ３１に対応する熱源であるＩＨヒータ１３、ラジエントヒータ１５およびグリルヒータ１６の運転を停止する（Ｓ１０５）。そして、入力制限部４２は、タッチセンサＩＣ３１によって操作が入力されるＩＨヒータ１３に対応するスイッチ群５１の各スイッチへの入力を制限するとともに、スイッチ群５３に含まれるすべてのスイッチへの入力を制限する（Ｓ１０６）。すなわち、入力制限部４２は、タッチセンサＩＣ３１に接続するスイッチ群５１からの入力、ならびにタッチセンサＩＣ３１に接続するスイッチ群５３の切／スタートスイッチ５３１、自動調理選択スイッチ５３２および火力減スイッチ５３３からの入力を制限するだけでなく、タッチセンサＩＣ３２に接続するスイッチ群５３の火力増スイッチ５３４、タイマースイッチ５３５およびラジエント選択スイッチ５３６についても入力を制限する。さらに、制御回路部４１は、表示パネル２４１、２４３にタッチセンサＩＣ３１の異常を報知するためのエラー表示を表示する（Ｓ１０７）。なお、このとき、制御回路部４１は、スピーカ２６から音声やブザーを鳴動させることにより、報知してもよい。
【００２６】
一方、制御回路部４１は、タッチセンサＩＣ３１の異常でない、すなわちタッチセンサＩＣ３２の異常である判断すると（Ｓ１０２：Ｎｏ）、次の判断条件を満たすか否かを判断する（Ｓ１０８）。すなわち、制御回路部４１は、Ｓ１０８において、（１）切／スタートスイッチ５３１への入力の検出が可能であり、自動調理が実行中であるか、（２）手動調理が実行中であって、かつタイマーが設定中であるか、のいずれかに該当するか否かを判断する。
【００２７】
制御回路部４１は、上記の判断条件（１）または（２）を満たさないと判断すると（Ｓ１０８：Ｎｏ）、タッチセンサＩＣ３２に対応する熱源であるＩＨヒータ１４、ラジエントヒータ１５およびグリルヒータ１６の運転を停止する（Ｓ１０９）。そして、入力制限部４２は、タッチセンサＩＣ３２によって操作が入力されるＩＨヒータ１４に対応するスイッチ群５２のスイッチ２３への入力を制限するとともに、スイッチ群５３に含まれるすべてのスイッチへの入力を制限する（Ｓ１１０）。すなわち、入力制限部４２は、タッチセンサＩＣ３２に接続するスイッチ群５２からの入力、ならびにタッチセンサＩＣ３２に接続するタッチセンサＩＣ３２に接続するスイッチ群５３の火力増スイッチ５３４、タイマースイッチ５３５およびラジエント選択スイッチ５３６からの入力を制限するだけでなく、タッチセンサＩＣ３１に接続するスイッチ群５３の切／スタートスイッチ５３１、自動調理選択スイッチ５３２および火力減スイッチ５３３についても入力を制限する。
【００２８】
一方、制御回路部４１は、上記の判断条件（１）または（２）を満たすと判断すると（Ｓ１０８：Ｙｅｓ）、タッチセンサＩＣ３２に接続する熱源のうちＩＨヒータ１４のみの運転を停止する（Ｓ１１１）。そして、入力制限部４２は、タッチセンサＩＣ３２に接続するスイッチ群５２のスイッチ２３への入力を制限するとともに、スイッチ群５３のうち切／スタートスイッチ５３１を除くすべてのスイッチへの入力を制限する（Ｓ１１２）。すなわち、入力制限部４２は、正常なタッチセンサＩＣ３１に接続するスイッチ群５３のスイッチのうち、切／スタートスイッチ５３１への入力のみを有効とし、その他のスイッチへの入力を無効とする。
【００２９】
上記の判断条件（１）または（２）を満たす場合、ラジエントヒータ１５またはグリルヒータ１６は、自動調理中若しくは手動調理中でタイマーが作動中である。そのため、これらラジエントヒータ１５およびグリルヒータ１６に対応するスイッチ群５３に含まれる各スイッチは操作不要である。例えば自動調理中であるとき、自動調理部４３は、熱源であるラジエントヒータ１５またはグリルヒータ１６を、予め設定された調理手順にしたがって制御する。そのため、自動調理中にあるとき、調理の途中で切／スタートスイッチ５３１を除くスイッチ群５３のスイッチ類への入力は制限されている。また、切／スタートスイッチ５３１への入力が検出可能であれば、任意の時期にラジエントヒータ１５またはグリルヒータ１６の電源をオフにすることができる。同様に、手動調理中でタイマーが作動中であるとき、手動調理部４４は、タイマーで設定された時間が経過するまで、調理条件を変更することなく継続する。そのため、手動調理中かつタイマーの作動中にあるとき、調理の途中でスイッチ類からの入力はない。但し、安全性の確保の観点から、例外的に切／スタートスイッチ５３１は入力を受け付けている。そこで、入力制限部４２は、タッチセンサＩＣ３２に異常が生じたとき、スイッチ群５２およびスイッチ群５３の各スイッチへの入力を制限するとともに、スイッチ群５３のうちタッチセンサＩＣ３１に接続する切／スタートスイッチ５３１のみ入力を可能とする。これにより、タッチセンサＩＣ３２に異常が生じても、通常の自動調理やタイマーを利用した調理と同様に、切／スタートスイッチ５３１を除く各スイッチへの入力を制限しつつ、所定の調理が継続される。
【００３０】
制御回路部４１は、Ｓ１１０においてスイッチ群５２およびスイッチ群５３への入力を制限すると、またはＳ１１２においてスイッチ群５２、および切／スタートスイッチ５３１を除くスイッチ群５３への入力を制限すると、表示パネル２４２、２４３にタッチセンサＩＣ３２の異常を報知するためのエラー表示を表示する（Ｓ１１３）。なお、このとき、制御回路部４１は、スピーカ２６から音声やブザーを鳴動させることにより、報知してもよい。
【００３１】
制御回路部４１は、Ｓ１０７においてタッチセンサＩＣ３１の異常を報知、またはＳ１１３においてタッチセンサＩＣ３２の異常を報知すると、特定のスイッチ操作があったかを判断する（Ｓ１１４）。制御回路部４１は、特定のスイッチ操作があると、正常なタッチセンサＩＣに接続するスイッチ群における入力を受け付ける入力受付モードへ移行する（Ｓ１１５）。例えばスイッチ群５３は、タッチセンサＩＣ３１に異常が生じると、正常なタッチセンサＩＣ３２に接続しているスイッチ（火力増スイッチ５３４、タイマースイッチ５３５、ラジエント選択スイッチ５３６）についても入力が制限される。ここで、正常なタッチセンサＩＣ３２に接続しているスイッチ群５２の各スイッチなどから特定のスイッチ操作を入力することにより、スイッチ群５３に含まれるスイッチのうち正常なタッチセンサＩＣ３２に接続するスイッチ（火力増スイッチ５３４、タイマースイッチ５３５、ラジエント選択スイッチ５３６）からの入力を可能とする。例えば誘導加熱調理器１０の検査や診断など特殊な措置を実施する場合、正常なタッチセンサＩＣ３２に接続する各スイッチ２３からの入力を制限する必要はない。そこで、入力制限部４２は、検査や診断時に正常なタッチセンサＩＣ３２に接続するスイッチから特定のスイッチ操作を入力することにより、スイッチ群５３に含まれるスイッチのうち正常なタッチセンサＩＣ３２に接続するスイッチ（火力増スイッチ５３４、タイマースイッチ５３５、ラジエント選択スイッチ５３６）からの入力を許容する。その結果、例えば診断メニューなど予め各スイッチごとに割り当てられている機能は、タッチセンサＩＣ３１の異常にともなうスイッチ群５３の入力制限の影響を受けることなく利用することができる。また、誘導加熱調理器１０のユーザであっても、切／スタートスイッチ５３１の入力が可能であることを条件に特定のスイッチ操作を行うことにより、スイッチ群５３のスイッチのうち正常なタッチセンサＩＣに接続するスイッチからの入力を受け付けるようにしてもよい。これにより、例えば正常なタッチセンサＩＣ３１に接続するスイッチ群５１、５３に対応する熱源の動作確認など、簡単な操作を行うことができる。
【００３２】
以上説明した誘導加熱調理器１０では、入力制限部４２は、例えばタッチセンサＩＣ３１に異常が生じたとき、スイッチ群５３に含まれる複数のスイッチのうち正常なタッチセンサＩＣ３２に接続するスイッチ（火力増スイッチ５３４、タイマースイッチ５３５、ラジエント選択スイッチ５３６）から、このスイッチ群５３に対応するラジエントヒータ１５およびグリルヒータ１６への入力を制限する。これにより、タッチセンサＩＣ３１に異常が生じたとき、スイッチ群５３に含まれるスイッチのうち正常なタッチセンサＩＣ３２に接続する各スイッチからも、ラジエントヒータ１５およびグリルヒータ１６への入力は制限される。したがって、タッチセンサＩＣ３１、３２の数をスイッチ群５１〜５３の数にあわせて設けない場合でも、スイッチ２３からの入力時の誤操作を防止することができ、熱源であるＩＨヒータ１３、ＩＨヒータ１４、ラジエントヒータ１５およびグリルヒータ１６への確実な入力操作を行うことができる。また、タッチセンサＩＣ３１、３２の数をスイッチ群５１〜５３の数よりも低減することができ、高価な部品の点数を低減することができる。
【００３３】
また、一実施形態では、自動調理部４３は、ラジエントヒータ１５またはグリルヒータ１６の切／スタートスイッチ５３１が検出可能であって、自動調理を実施しているとき、その自動調理を継続する。自動調理は、自動調理部４３によって予め定められた手順に調理が実行される。そのため、各スイッチ２３の操作は不要であり、仮に異常が生じたタッチセンサＩＣ３２でスイッチ群５３の各スイッチへの入力を検出できなくても、自動調理部４３は自動的に調理を実行可能である。また、タッチセンサＩＣ３１に接続する切／スタートスイッチ５３１が検出可能であることが条件であるため、ユーザは所望の時期に調理を中止することも可能である。したがって、スイッチ群５３からの入力を制限しても、自動調理を妨げることなく調理を実行することができるとともに、安全性を高めることができる。
【００３４】
一実施形態では、手動調理部４４は、ラジエントヒータ１５またはグリルヒータ１６が手動調理中であって、タイマー調理中であるとき、その手動調理をタイマーで設定された設定時間が経過するまで継続する。手動調理中にあるとき、タイマーの設定時間が経過するまで調理条件を変更することなく調理は継続される。そのため、各スイッチの操作は不要であり、仮に異常が生じたタッチセンサＩＣ３２でスイッチ群５３の各スイッチへの入力を検出できなくても、手動調理部４４は設定時間が経過するまで継続して調理を実行可能である。また、正常なタッチセンサＩＣ３１に接続する切／スタートスイッチ５３１の操作は可能となっているため、ユーザは所望の時期に調理を中止することも可能である。したがって、スイッチ群５３からの入力を制限しても、タイマー調理を妨げることなく調理を実行することができるとともに、安全性を高めることができる。
【００３５】
一実施形態では、制限解除部４５は、チャイルドロックスイッチ５１６が接続しているタッチセンサＩＣ３１に異常が生じたとき、入力制限部４２による各スイッチ２３への入力制限を解除する。チャイルドロックが機能しているとき、スイッチ群５３を含む全てのスイッチ群５１、５２において入力が制限される。このようにチャイルドロックが機能しているときにチャイルドロックスイッチ５１６が接続するタッチセンサＩＣ３１に異常が生じると、チャイルドロックの解除ができず、正常なタッチセンサＩＣ３２に接続するスイッチについても入力ができなくなるおそれがある。そこで、制限解除部４５は、チャイルドロックスイッチ５１６が接続しているタッチセンサＩＣ３１に異常が生じると、入力制限部４２による入力の制限を解除する。したがって、タッチセンサＩＣ３１に異常が生じても、入力が可能なスイッチに対し確実に入力することができる。
【００３６】
一実施形態では、表示パネル２４は、例えばタッチセンサＩＣ３１、３２に異常が生じたとき、この異常が生じたタッチセンサＩＣ３１、３２に接続するＩＨヒータ１３、１４、ラジエントヒータ１５およびグリルヒータ１６の操作が制限されていることをエラー表示として表示する。したがって、タッチセンサＩＣ３１、３２の異常を容易かつ確実に認識することができる。また、スピーカ２６は、例えばタッチセンサＩＣ３１に異常が生じ、スイッチ群５３を構成するスイッチのすべてについて入力が制限されているとき、このスイッチ群５３に含まれるスイッチのうち正常なタッチセンサＩＣ３２に接続している火力増スイッチ５３４、タイマースイッチ５３５またはラジエント選択スイッチ５３６に入力があると、音声やビープ音を発する。これにより、使用者は、スイッチ群５３の各スイッチについて、タッチセンサＩＣ３１の異常によって入力が制限されていることを認識可能である。
【００３７】
入力制限部４２は、正常なタッチセンサＩＣ３１、３２に接続するスイッチから特定のスイッチ操作があると、正常なタッチセンサＩＣ３１、３２に接続するスイッチからの入力を受け付ける入力受付モードへ移行する。例えば、タッチセンサＩＣ３１に異常が生じているとき、正常なタッチセンサＩＣ３２に接続する特定のスイッチ操作を入力することにより、入力制限部４２は、スイッチ群５３に含まれるスイッチのうち正常なタッチセンサＩＣ３２に接続するスイッチからの入力を許容する。その結果、例えば診断メニューなど予め各スイッチごとに割り当てられている機能は、タッチセンサＩＣ３１の異常にともなうスイッチ群５３の入力制限の影響を受けることなく利用することができる。また、誘導加熱調理器１０のユーザであっても、例えばタッチセンサＩＣ３２に異常が生じているとき、切／スタートスイッチ５３１の入力が可能であることを条件に正常なタッチセンサＩＣ３１に接続するスイッチ群５１、５３から特定のスイッチ操作を行うことにより、スイッチ群５３のスイッチのうち正常なタッチセンサＩＣ３１に接続するスイッチからの入力を受け付ける。これにより、例えばスイッチ群５１、５３に対応する熱源の動作確認など、簡単な操作を行うことができる。
【００３８】
（その他の実施形態）
以上説明した実施形態は、上記に限定されるものではなく、その要旨を逸脱しない範囲で種々の実施形態に適用可能である。
【００３９】
例えば、制御回路部４１に予備入力部を設けてもよい。予備入力部は、熱源への入力を予備的に可能とする。例えばタッチセンサＩＣ３１に異常が生じた場合、予備入力部は、このタッチセンサＩＣ３１に接続するスイッチ群５１、５３を除く他のスイッチ群５２から、スイッチ群５１に対応するＩＨヒータ１３やラジエントヒータ１５またはグリルヒータ１６への入力を可能とする。これにより、少なくとも一つのスイッチ群５２からの入力が可能であれば、通常はそのスイッチ群５２に対応しない他の熱源についても操作を入力することができる。
【００４０】
以上説明した実施形態では、説明の簡単のために三つの熱源を備える誘導加熱調理器を例に説明したが、熱源の数は上記の例に限定されない。また、熱源もＩＨヒータ、ラジエントヒータまたはグリルヒータに限らず、任意のヒータを適用可能である。
さらに、上述の実施形態では、スイッチ入力制限手段としてチャイルドロックスイッチ５１６を例示したが、これに限らず他の構成でスイッチ入力制限手段を構成してもよい。
【符号の説明】
【００４１】
図面中、１０は誘導加熱調理器、１３、１４はＩＨヒータ（熱源）、１５はラジエントヒータ（熱源）、１６はグリルヒータ（熱源）、２３、５１１〜５１７、５２１〜５２７、５３１〜５３６はスイッチ、２４、２４１、２４２、２４３は表示パネル（表示手段）、２６はスピーカ（報知手段）、３１、３２はタッチセンサＩＣ（指示検出手段）、４２は入力制限部、４３は自動調理部、４４は手動調理部、４５は制限解除部、５１、５２、５３はスイッチ群、５１１、５２１、５３１は切／スタートスイッチ（電源スイッチ）、５１５、５２５、５３５はタイマースイッチ、５１６はチャイルドロックスイッチ（スイッチ入力制限手段）を示す。
【図１】
2011076859.tif 000003
【図２】
2011076859.tif 000004
【図３】
2011076859.tif 000005